【事件の表示】
特許第２７４３４７８号「電気湯沸し器」の特許に対する特許異議の申立てについて、次のとおり決定する。
【結論】
　訂正を認める。
　特許第２７４３４７８号の特許を維持する。
【理由】
（１）手続きの経緯
　特許第２７４３４７８号の請求項１に係る発明の出願は、平成１年６月１２日に特許出願され、平成１０年２月６日にその発明について特許の設定登録がされ、その後、その特許について、異議申立人西田穣より特許異議の申立がなされ、取消理由通知がなされ、その指定期間内である平成１０年３月９日に訂正請求（後日取り下げ）がなされた後、再度の取消理由通知がなされ、その指定期間内である平成１１年９月２８日に訂正請求がなされたものである。。
（２）訂正の適否についての判断
訂正の内容
　ａ．特許請求の範囲の請求項１の「前記容器を覆うボデーと、前記ボデー底部に設けたはかまと、」を「前記容器を覆うボデーと、前記ボデーの上部に載置された注口と、前記ボデー底部に設けたはかまと、」とし、また、「載置面と接触するとともに、器体を回動可能せしめる回転台と、」を「載置面と接触するとともに、前記はかまに設けた摺動溝と摺動する摺動柱とを設けて器体を回動可能せしめる回転台と、」とし、さらに、「報知手段とを設けてなる」を「報知手段とを有し、前記ボデーは前記注口と前記はかまに挟持されてなる」と訂正する。
　ｂ．これに伴い、特許明細書第３頁第１２行〜第２０行の「この問題を〜作用」を「この問題を解決する為に本発明は、液体を収容する容器と、前記容器内の液体を加熱・保温する発熱体と、前記容器を覆うボデーと、前記ボデーの上部に載置された注口と、前記ボデー底部に設けたはかまと、前記はかまの下面に設けられ器体の載置面と接触するとともに、前記はかまに設けた摺動溝と摺動する摺動柱とを設けて器体を回動可能せしめる回転台と、器体に固定されたペク枠への通電を検出する電源検出手段と、電源から器体への通電が切れるとこの電源検出手段からの信号を受け外部に報知する報知手段とを有し、前記ボデーは前記注口と前記はかまに挟持されてなる電気湯沸かし器とする。
作用」と訂正する。さらに、特許明細書第５頁第１２行の「操作者が」の前に「ここで、器体とは、本発明の構成をなすもののうち、回転台により回転可能な部分を指す。」を挿入する。
イ．訂正の目的の適否、新規事項の有無および拡張・変更の存否
　上記訂正事項ａ．は特許請求の範囲の減縮に、上記訂正事項ｂ．は、特許請求の範囲の減縮に伴う明りょうでない記載の釈明にそれぞれ該当し、また、新規事項の追加に該当せず、実質的に特許請求の範囲を拡張し又は変更するものではない。
ウ．独立特許要件の判断
　訂正明細書の請求項１に係る発明（以下、本件発明という）に対して、当審が訂正拒絶理由通知において示した刊行物１［実願昭６１−１９２０５０号（実開昭６３−９８１４４号）のマイクロフィルム］には、「プラグが外れたことを報知することができる電気湯沸かし器。」が記載されている。また、同じく刊行物２［実願昭６０−９３７３９号（実開昭６２−３４６号）のマイクロフィルム］には、回転機構を備えたジャーポットが記載されている。
（対比・判断）
本件発明について
　本件発明と上記刊行物１及び２に記載の発明とを対比すると、両刊行物に記載の発明は、本件発明を特定する事項である「はかまに設けた摺動溝と摺動する摺動柱とを設けて器体を回動可能せしめる構成」を備えておらず、そして、本件発明は、当該事項により明細書記載の効果を奏するものであるから、上記刊行物１および２に記載の発明から容易に発明をすることができたものとはいえない。
　また、訂正拒絶理由通知で指摘した明細書の記載不備も解消された。
　したがって、本件発明は特許出願の際独立して特許を受けることができるものである。
エ．むすび
　以上のとおりであるから、上記訂正は、特許法第１２０条の４第２項及び同条第３項において準用する第１２６条第２項乃至第４項の規定に適合するので、当該訂正を認める。
（３）特許異議の申立てについて
ア．本件発明
　本件発明は、訂正明細書の請求項１に記載されたとおりのものである。
イ．申立ての理由の概要
　特許異議申立人西田穣は、本件発明は、特許法第２９条第２項に規定する発明に該当し、本件特許は特許法第１１３条第２号に該当するので取り消されるべきものである旨主張している。
ウ．判断
本件発明について
　特許異議申立人は、請求項１に係る発明は甲第１号証（上記引用刊行物１と同じ）及び甲第２号証（特開昭５９−２１８１２５号公報）に記載の発明から容易に発明をすることができたものであると主張する。
　甲第１号証については、上記（２）ウ．で示したことが、また、甲第２号証には「支持体１１の下面に設けられ電気ポットの載置面と接触するとともに、電気ポットを回動せしめる座盤１２を備えた電気ポット」が記載されているが、各号証には本件発明を特定する事項である「はかまに設けた摺動溝と摺動する摺動柱とを設けて器体を回動可能せしめる構成」は記載もなければ、示唆もない。したがって、本件発明は当業者が容易に発明をすることができたものとすることができない。
（４）むすび
　以上のとおりであるから、特許異議申立の理由及び証拠によっては、本件発明の特許を取り消すことはできない。
　また、他に本件発明の特許を取り消すべき理由を発見しない。
　よって、結論のとおり決定する。
【異議決定日】
平成１１年１０月１９日（１９９９．１０．１９）
【訂正の要旨】
　訂正の要旨
特許第２７４３４７８号の明細書を訂正請求書に添付された訂正明細書のとおりに、すなわち、特許請求の範囲の減縮を目的として特許明細書の請求の範囲を
ａ．特許請求の範囲の請求項１の「前記容器を覆うボデーと、前記ボデー底部に設けたはかまと、」を「前記容器を覆うボデーと、前記ボデーの上部に載置された注口と、前記ボデー底部に設けたはかまと、」とし、また、「載置面と接触するとともに、器体を回動可能せしめる回転台と、」を「載置面と接触するとともに、前記はかまに設けた摺動溝と摺動する摺動柱とを設けて器体を回動可能せしめる回転台と、」とし、さらに、「報知手段とを設けてなる」を「報知手段とを有し、前記ボデーは前記注口と前記はかまに挟持されてなる」と訂正する。
ｂ．これに伴い、特許明細書第３頁第１２行〜第２０行の「この問題を〜作用」を「この問題を解決する為に本発明は、液体を収容する容器と、前記容器内の液体を加熱・保温する発熱体と、前記容器を覆うボデーと、前記ボデーの上部に載置された注口と、前記ボデー底部に設けたはかまと、前記はかまの下面に設けられ器体の載置面と接触するとともに、前記はかまに設けた摺動溝と摺動する摺動柱とを設けて器体を回動可能せしめる回転台と、器体に固定されたペク枠への通電を検出する電源検出手段と、電源から器体への通電が切れるとこの電源検出手段からの信号を受け外部に報知する報知手段とを有し、前記ボデーは前記注口と前記はかまに挟持されてなる電気湯沸かし器とする。
作用」と訂正する。さらに、特許明細書第５頁第１２行の「操作者が」の前に「ここで、器体とは、本発明の構成をなすもののうち、回転台により回転可能な部分を指す。」を挿入する。
（５４）【発明の名称】
電気湯沸し器
（５７）【特許請求の範囲】
　【請求項１】液体を収容する容器と、前記容器内の液体を加熱・保温する発熱体と、前記容器を覆うボデーと、
前記ボデーの上部に載置された注口と、
前記はかまに設けた摺動溝と摺動する摺動柱とを設けて
を有し、前記ボデーは前記注口と前記はかまに挟持されてなる
【発明の詳細な説明】
産業上の利用分野
　本発明は、水を加熱して湯を沸す器具に関し、回転台を設けて器体の回転を可能とした電気湯沸し器に関するものである。
従来の技術
　従来、この種の電気沸し器は第５図に示すごとく、液体を収容し発熱体を備えた容器とこれを覆うボデー１０１を注口１０２との間で挟持するはかま１０３と、はかま１０３の下部に設けた回転台１０４とよりなっており、回転操作の際には、はかま１０３より上の部分が回転して好みの位置に注出口１０５をセットすることにより、容易に湯が注げることができた。この時、電源の取り入れ口にあたるペク枠１０６は、回転台１０４に固定されており、はかま１０３より上の部分が回転しても動くことはない。
　電源と器体の接続は、一方はマグネット式のプラグ１０７でペク枠と接続し、他方は差し込みプラグで電源に接続されている。
発明が解決しようとする課題
　しかし、この様な構成のものでは、構造が複雑となってコスト高となる上、固定状態にあるペク枠と、はかまより上にある容器に備えられた発熱体や、それらを制御する制御手段とを電気的に接続する部分が回転に耐えられる様にする必要もあり、信頼性の問題も残されていた。
　一方、はかまの部分にペク枠を取り付けて電気部分ははかま内に収容して、この底部に回転台をとりつけることにより構造は簡単で、コストも安価となるが、この場合は、ペク枠も一緒に回転することとなり、セットされるマグネット式のプラグも一緒に回転して、マグネット式プラグが器体周囲の物にあたって、ペク枠より外れて操作者が気がつかず放置され、容器内の湯が冷えてしまう恐れがあった。
　本発明は、上記の問題点を解決するもので、簡単な構成で、安価に、かつ操作性にすぐれた回転式の電気湯沸し器を提供することを目的とする。
課題を解決するための手段
　この問題を解決する為に本発明は、液体を収容する容器と、前記容器内の液体を加熱・保温する発熱体と、前記容器を覆うボデーと、
前記ボデーの上部に載置された注口と、
前記はかまに設けた摺動溝と摺動する摺動柱とを設けて
を有し、前記ボデーは前記注口と前記はかまに挟持されてなる
作用
　この構成により、はかまによって充電部分を遮蔽したユニットの底部に回転台をとりつけることにより、簡単な構成で回転式の電気湯沸し器が実現でき、かつ、一緒に回転するペク枠よりマグネット式プラグが外れ、電源が切れた場合にも検出手段及び報知手段により操作者が容易に確認することが可能である。
実施例
　以下、本発明の一実施例を第１図〜第４図にもとづいて説明する。
　１はステンレス板等で形成された容器で、底部裏面には容器内の液体を加熱、保温する発熱体２を備えている。３は容器１を覆うボデーである。ボデーの上部には注口４が載置され、注口４には前記容器の上部開口部を開閉自在とする蓋体５が軸支されている。
　ボテー前部には表示板６が設けられており、この中には容器内の液体の器体外への出口となる吐出パイプ７が備えられている。
　容器１の底部下面には容器取付板１ａが取りつけてあり、他端は垂下してはかま８と裏板９と共にビス等で固定される。この時、容器１、ボデー３は注口４とはかま８に挟持される。又、ボデーの一部切欠き部にセットされた。ペク枠１０もボデー３とはかま８に挟持固定される。ペク枠１０にはマグネット式のプラグ（以下プラグ）１１が装置されて、交流電源に接続される。器体内への接続はターミナル板１２にリード線を固定して行なわれる。１３ははかま８の下部に同はかまをその上部に載置した回転台で、はかまのつめ部１４に回転台のフック１５を係止させてセットされる。つまり、回転台１３は第２図に示されるように、はかま８の下面に設けられているとともに、器体の最も下部に突出した形状となっているため、回転台１３は、器体の載置面（たとえばテーブル等）と接触するとともに、器体を回動可能せしめるようになっている。
ここで器体とは、本発明の構成をなすもののうち、回転台により回転可能な部分を指す。
発明の効果
　本発明によれば、配線部分が回転動作をすることがなく、耐久上の問題はなくなる。又、回転動作の為の構成が簡単であり、組立性の向上、コストの低減に大きく寄与することができる。
　又、回転時にプラグが外れて通電が停止した場合でも、ブザー等で知らせて通電が断たれたままになることもなく、簡単な構成で、信頼性の高い電気湯沸し器を安価に提供することが可能となる。
【図面の簡単な説明】
第１図は、本発明の実施例を示す一部欠截側面図、第２図は要部断面図、第３図は通電検知を示すブロック図、第４図は回転時の平面図、第５図は従来の一実施例を示す外観斜視図である。
１……容器、２……発熱体、３……ボデー、８……はかま、１３……回転台、２１……電源検出手段、２３……報知手段。